(57)【要約】【課題】尿の跳ね返りを、より少なくし、跳ね返った尿により小便器の周りの床が汚れることを防止する放尿目標体、及びその放尿目標体が取り付けられている小便器を提供する。【解決手段】本発明の小便器用放尿目標体１００は、小便器本体１０の鉢内部に設置され、用便者１が放尿の目標にする。用便者１から放出される尿を先端部１０２で受けて分割する棒状体１０１を備えている。【選択図】図１
2008057195.tif 000002
【特許請求の範囲】
【請求項１】
小便器の鉢内部に設置され、用便者が放尿の目標にする小便器用放尿目標体であって、
放出される尿を先端で受けて分割する突出部を備えていることを特徴とする小便器用放尿目標体。
【請求項２】
前記突出部は、複数の棒状体からなる請求項１記載の小便器用放尿目標体。
【請求項３】
前記突出部は、前面に複数の開口をもつ箱体からなる請求項１記載の小便器用放尿目標体。
【請求項４】
前記小便器は洗浄水により鉢面を洗浄する水洗式小便器であって、
前記箱体は、内部に該洗浄水を通水する通水孔を有している請求項３記載の小便器用放尿目標体。
【請求項５】
前記突出部は、複数の板体からなる請求項１記載の小便器用放尿目標体。
【請求項６】
前記突出部は、尿を受けることにより駆動されるように構成されている請求項１記載の小便器用放尿目標体。
【請求項７】
前記突出部は、鉢面と直交する回転軸回りに回転可能である請求項６記載の小便器用放尿目標体。
【請求項８】
前記突出部は、鉢面と直交する揺動軸回りに揺動可能である請求項６記載の小便器用放尿目標体。
【請求項９】
前記突出部は、鉢面と平行かつ垂直な回転軸回りに回転可能である請求項６記載の小便器用放尿目標体。
【請求項１０】
前記突出部は、鉢面と平行かつ水平な回転軸回りに回転可能である請求項６記載の小便器用放尿目標体。
【請求項１１】
前記突出部は、網製の容器を有する請求項１記載の小便器用放尿目標体。
【請求項１２】
前記容器内には、尿を受けることにより駆動する駆動体が収納されている請求項１１記載の小便器用放尿目標体。
【請求項１３】
前記小便器は洗浄水により鉢面を洗浄する水洗式小便器であって、
前記突出部の上方には、該突出部に該洗浄水を導水する洗浄水導水部を備えている請求項１乃至１２のいずれか１項記載の小便器用放尿目標体。
【請求項１４】
請求項１乃至１３いずれか１項記載の小便器用放尿目標体が鉢面に着脱自在に取り付けられていることを特徴とする小便器。
【請求項１５】
請求項１乃至１３いずれか１項記載の小便器用放尿目標体が目皿を介して着脱自在に取り付けられていることを特徴とする小便器。
【発明の詳細な説明】
【技術分野】
【０００１】
本発明は小便器用放尿目標体及び小便器用放尿目標体が取り付けられた小便器に関する。
【背景技術】
【０００２】
特許文献１の図４に小便器の鉢面に取り付けられる従来の放尿目標体が開示されている。この放尿目標体は、小便器の鉢面に貼り付けられる接着部にバネ等の弾性体を介して取り付けられる亀等の形状を模した立体物からなるものや、小便器の鉢面に直接貼り付けられるＶ字溝が施された立体形状からなるものである。
【０００３】
このような構成である放尿目標体は、バネ等の弾性体を介して小便器の鉢面に貼り付けられた接着部に取り付けられているため、尿が当たると揺動して、用便者の興味を引くことができる。また、Ｖ字溝が施されている立体形状からなるものであれば、Ｖ字溝により尿の跳ねを防止することができる。
【０００４】
【特許文献１】特開２００２−３２２７２４号
【発明の開示】
【発明が解決しようとする課題】
【０００５】
しかし、上記従来の放尿目標体では、亀等の形状を模した立体物に当たった尿は任意の方向へ跳ね返ってしまう。また、Ｖ字溝によって跳ねを防止することができてもＶ字溝以外の部分に当たった尿は任意の方向へ跳ね返ってしまう。このため、跳ね返った尿が小便器の周りの床を汚していた。
【０００６】
本発明は、上記従来の実情に鑑みてなされたものであって、尿の跳ね返りをより少なくし、跳ね返った尿により小便器の周りの床が汚れることを防止する小便器用放尿目標体を提供することを解決すべき課題としている。そして、本発明は、その小便器用放尿目標体が取り付けられている小便器も提供することを解決すべき課題としている。
【課題を解決するための手段】
【０００７】
本発明の小便器用放尿目標体は、小便器の鉢内部に設置され、用便者が放尿の目標にする小便器用放尿目標体であって、
放出される尿を先端で受けて分割する突出部を備えていることを特徴とする。
【０００８】
このような構成である本発明の小便器用放尿目標体において、用便者から放出される尿は、突出部の先端で受けられ、分割される。このため、放出された尿の殆どは、突出部の先端で跳ね返されることなく、小便器の鉢面方向へ飛散することになる。また、突出部の側面に直接当たった尿も、小便器の鉢面方向へ飛散することになる。
【０００９】
したがって、本発明の小便器用放尿目標体は、尿の跳ね返りを少なくし、跳ね返った尿によって小便器の周りの床が汚れることを防止することができる。
【００１０】
本発明の小便器用放尿目標体としては、複数の突出部を備えているものを採用することができる。この場合、突出部の先端及び側面で受け、小便器の鉢面方向へ飛散する尿は、他の突出部の側面に当たり勢いが減衰される。このため、尿の跳ね返りをより少なくすることができる。
【００１１】
また、突出部近傍の鉢面に直接尿が当たり尿の跳ね返りが生じた場合でも、跳ね返った尿は突出部に衝突する。このため、小便器の周りに尿が飛散することが少なくなり、床が汚れることを防止することができる。
【００１２】
突出部としては、先端部が斜め上向きになるように傾斜しているものを採用することができる。この場合、突出部の突出方向が用便者から放出される尿の方向に沿ったものとなり、突出部の先端で確実に尿を受けることができる。このため、尿の跳ね返りをより少なくすることができる。
【００１３】
本発明の小便器用放尿目標体としては、抗菌剤を混入したもの若しくは表面処理により抗菌性を持たせたものを採用することができる。この場合、小便器用放尿目標体のぬめり汚れを軽減でき、清潔に保つことができる。
【００１４】
本発明の小便器用放尿目標体において、突出部は、複数の棒状体からなることが好ましい。
【００１５】
この場合、放出された尿は、複数の棒状体の中の任意の棒状体の先端で受けられて分割される。このため、複数の棒状体が設けられている広い範囲で尿の跳ね返りを少なくすることができる。また、棒状体の先端で分割された尿は、棒状体同士の隙間に飛散するため、分割された後、他の棒状体と衝突して勢いが減衰する。このため、尿の跳ね返りは、さらに少なくなる。また、棒状体の隙間を通り鉢面や棒状体側面に直接当たり飛散する尿も、棒状体の隙間に飛散して他の棒状体と衝突するため、尿の跳ね返りは少なくなる。
【００１６】
棒状体としては、ボウリングピンを模したものを採用することができる。こうであれば、用便者の興味を引くため、用便者は小便器用放尿目標体に尿が届くように小便器に近づいて放尿する。このため、小便器の周りの床に直接、尿が垂れることも防止することができる。
【００１７】
本発明の小便器用放尿目標体において、突出部は、前面に複数の開口をもつ箱体からなることが好ましい。
【００１８】
この場合、放出された尿は、複数の開口の先端で受けられて分割され、箱体内部に向けて拡散される。拡散された尿は、箱体の内面と衝突して勢いが減衰する。このため、尿の跳ね返りは、さらに少なくなる。また、開口内部に直接当たり飛散する尿も、箱体の内面に飛散し他の内面と衝突するため、尿の跳ね返りは少なくなる。
【００１９】
箱体の開口部内面に用便者から視認できるように数字等を表示することができる。こうであれば、用便者の興味を引き、用便者はそれぞれの開口部に向けて放尿する。
【００２０】
本発明の小便器用放尿目標体において、箱体は、内部に洗浄水を通水する通水孔を有していることが好ましい。
【００２１】
この場合、小便器用放尿目標体が取り付けられる小便器が洗浄水により鉢面を洗浄する水洗式小便器であれば、鉢面の洗浄と同時に箱体の内部も洗浄されるため、尿の乾燥、付着による汚れや臭いの発生を防止することができる。
【００２２】
本発明の小便器用放尿目標体において、突出部は、複数の板体からなることが好ましい。
【００２３】
この場合、放出された尿は、板体の先端で受けられて分割され、板体同士の隙間に向けて飛散される。このため、複数の板体が設けられている広い範囲で尿の跳ね返りを少なくすることができる。また、板体の先端で分割された尿は、板体同士の隙間に向けて拡散されるため、他の板体と衝突して勢いが減衰する。このため、尿の跳ね返りは、さらに少なくなる。また、板体の隙間を通り鉢面や板体平面部に直接当たり飛散する尿も、板体の隙間に飛散し他の板体と衝突するため、尿の跳ね返りは少なくなる。
【００２４】
本発明の小便器用放尿目標体において、突出部は、尿を受けることにより駆動されるように構成されていることが好ましい。
【００２５】
この場合、放出された尿は、突出部の先端で受けられて分割され、拡散される一方で、突出部の駆動力とされる。突出部が駆動すると、用便者の興味を引き、用便者は突出部が駆動するように放尿する。このため、放出された尿の多くが突出部の先端で分割され、拡散されるため、尿の跳ね返りを少なくすることができる。
【００２６】
また、突出部の駆動力を発電機に伝達し、突出部に設けたＬＥＤ等を点灯させることができる。こうであれば、用便者の興味を引くため、用便者は小便器用放尿目標体に尿が届くように小便器に近づいて放尿する。このため、小便器の周りの床に直接、尿が垂れることも防止することができる。
【００２７】
尿を受けることにより駆動される突出部としては、鉢面と直交する回転軸回りに回転可能なもの、鉢面と直交する揺動軸回りに揺動可能なもの、鉢面と平行かつ水平な回転軸回りに回転可能なもの、鉢面と平行かつ垂直な回転軸回りに回転可能なものを採用することができる。
【００２８】
この場合、回転駆動される突出部が用便者の興味を引き、用便者は突出部が回転駆動するように放尿する。このため、放出された尿の多くが突出部の先端で分割され拡散されるため、尿の跳ね返りを少なくすることができる。
【００２９】
本発明の小便器用放尿目標体において、突出部は、網製の容器を有することが好ましい。
【００３０】
この場合、放出された尿は、網製の容器の網部で受けられて分割され、容器内部に向けて拡散する。このため、尿の跳ね返りを少なくすることができる。
【００３１】
本発明の小便器用放尿目標体において、網製の容器の内部には、尿を受けて駆動する駆動体が収納されていることが好ましい。
【００３２】
この場合、駆動体が用便者の興味を引き、用便者は駆動体に向けて放尿する。放出された尿の多くは、網製の容器の網部で分割されて拡散される。このため、尿の跳ね返りを少なくすることができる。また、駆動体は、尿石除去剤や芳香剤等からなる球体であっても良い。
【００３３】
本発明の小便器用放尿目標体において、突出部の上方には、突出部に洗浄水を導水する洗浄水導水部を備えていることが好ましい。
【００３４】
この場合、小便器用放尿目標体が取り付けられる小便器が洗浄水により鉢面を洗浄する水洗式小便器であれば、鉢面の洗浄と同時に突出部も洗浄されるため、突出部に尿が乾燥し、付着することによる汚れや臭いの発生を防止することができる。
【００３５】
本発明の小便器は、前記小便器用放尿目標体が鉢面に着脱自在に取り付けられていることを特徴とする。
【００３６】
この小便器は、小便器用放尿目標体が鉢面から着脱自在に取り付けられているため、小便器用放尿目標体の取替えが容易にできる。このため、小便器用放尿目標体自身を容易に洗浄することができ、尿による汚れや臭いの発生を防止することができる。また、新しい小便器用放尿目標体に容易に交換することもできる。
【００３７】
また、小便器用放尿目標体の突出部の形状が相違するものを複数用意しておけば、それらを順次交換して小便器の鉢面に取り付けることができる。用便者は飽きることなく小便器用放尿目標体に向けて放尿する。このため、継続的に尿の跳ね返りを少なくし、跳ね返った尿により小便器の周りの床が汚れることを防止することができる。さらに、用便者は小便器用放尿目標体に尿が届くように小便器に近づいて放尿するため、小便器の周りの床に直接、尿が垂れることも防止することができる。
【００３８】
本発明の小便器は、前記小便器用放尿目標体が目皿を介して着脱自在に取り付けられていることを特徴とする。
【００３９】
この小便器は、目皿に小便器用放尿目標体が固定されているため、容易に小便器用放尿目標体を取り付けることができる。目皿が汎用のものであれば、既存の小便器に対しても小便器用放尿目標体を取り付けることができる。
【００４０】
小便器に本発明の小便器用放尿目標体を複数取り付けることができる。こうであれば、用便者の興味を引き、用便者は夫々の小便器用放尿目標体に向けて放尿する。
【発明を実施するための最良の形態】
【００４１】
以下、本発明を具体化した実施例１〜１１を図面を参照しつつ説明する。
【実施例１】
【００４２】
図１〜４に示すように、実施例１の小便器用放尿目標体１００は、小便器本体１０の鉢面１１に取り付けられるものである。小便器本体１０は、上部に鉢面１１へ洗浄水を供給する洗浄水供給装置１２と、下部に洗浄水を貯留してなる水封部１３と、水封部を形成する目皿１４とを備えている。
【００４３】
小便器用放尿目標体１００は、基板１０３と、基板１０３の前面に形成されたボウリングピンを模した複数本の棒状体１０１とからなる。各棒状体１０１は、先端部１０２が斜め上向きになるように傾斜して突出している。また、全棒状体１０１は、ボウリングゲームにおける１０本のボウリングピンの配列と同様に配置されている。
【００４４】
小便器用放尿目標体１００は、取付けプレート１２０を介して小便器本体１０の鉢面１１に着脱自在に取り付けられる。取付けプレート１２０は、上端に位置し、洗浄水を棒状体１０１に導水するための庇部１２２と、両側端に位置し、小便器用放尿目標体１００の基板１０３の両端部が挿入される挿入部１２１とを有する。取付けプレート１２０は、接着剤等により小便器本体１０の鉢面１１に帖着固定されている。
【００４５】
このような構成である実施例１の小便器用放尿目標体１００において、用便者１から放出される尿は、各棒状体１０１の先端部１０２で受けられて分割される。分割された尿の殆どは、先端部１０２で跳ね返されることなく、鉢面１１方向に飛散する。また、各棒状体１０１の側面で直接受けられる尿も鉢面１１方向に飛散する。飛散した尿は、棒状体１０１同士の隙間に入り込み、他の棒状体１０１と衝突して勢いが減衰する。また、棒状体１０１同士の隙間を通り鉢面１１や棒状体１０１の側面に直接当たり飛散する尿も、棒状体１０１の隙間に入り込み、他の棒状体１０１と衝突して勢いが減衰する。また、１０本の棒状体１０１が配置されているため、広い範囲で棒状体１０１の先端部１０２で尿を受けて分割することができる。このため、尿の跳ね返りをなくすことができ、跳ね返った尿により小便器本体１０の周りの床が汚れることを防止することができる。
【００４６】
各棒状体１０１の近傍であって、基板１０３、取付けプレート１２０又は鉢面１１に直接当たって跳ね返る尿は、跳ね返った後、各棒状体１０１に衝突する。このため、跳ね返った尿が小便器本体１０の周りに尿が飛散することが少なくなり、床が汚れることを防止することができる。
【００４７】
また、棒状体１０１がボウリングピンを模した形状とされているため、用便者１の興味を引き、用便者１は積極的に棒状体１０１に向けて放尿する。このため、用便者１は、小便器用放尿目標体１００が取り付けられていない部分に放尿することがなくなり、直接、尿が鉢面１１に衝突して跳ね返ることがなくなる。さらに、用便者１は、尿を小便器用放尿目標体１００に当てようとして小便器本体１０に近づいて放尿するため、小便器本体１０の周りの床に直接尿が垂れることもなくなる。
【００４８】
また、洗浄水供給装置１２から小便器本体１０の鉢面１１に洗浄水が供給されると、取付けプレート１２０の上方から鉢面１１に沿って流下する洗浄水は、棒状体１０１の全体が洗浄されるように庇部１２２で斜め手前方向に向けて流下する。このため、鉢面１１の洗浄と同時に棒状体１０１も洗浄され、尿が乾燥して付着することによる汚れや臭いの発生を防止することができる。
【００４９】
また、小便器用放尿目標体１００は、小便器本体１０の鉢面１１に帖着された取付けプレート１２０の挿入部１２１に上方からスライド挿入して取り付けられている。このため、小便器用放尿目標体１００を上方へスライドさせれば、容易に取り外しもでき、小便器用放尿目標体１００を取り外して洗浄したり、新しいものに交換したりすることが容易にできる。
【００５０】
また、後述する他の実施例に示すように、小便器用放尿目標体の突出部の形状が異なるものへ容易に交換することもできる。これにより、用便者１は飽きることなく小便器用放尿目標体に向けて放尿することができ、継続的に尿の跳ね返りを少なくし、跳ね返った尿により小便器本体１０の周りの床が汚れることを防止できる。さらに、用便者１は小便器用放尿目標体に尿が届くように小便器本体１に近づいて放尿するため、小便器本体１の周りの床に直接、尿が垂れることも防止することができる。
【実施例２】
【００５１】
図５〜７に示すように、実施例２の小便器用放尿目標体２００は、基板２０３と、基板２０３の前面に設けられ、９個の方形状の開口２０４をもつ箱体２０１とからなる。夫々の開口２０４の内部は、底面が奥側から前側に向かって下り勾配の傾斜面２１３を有し、傾斜面２１３には１〜９までの数字が付されている。箱体２０１は、傾斜面２１３の開口２０４側及び裏側の空間に洗浄水が通水されるように上壁に通水孔２１０、２１１、２１２を有している。
【００５２】
小便器用放尿目標体２００は、取付けプレート２２０を介して小便器本体１０の鉢面１１に着脱自在に取り付けられる。取付けプレート２２０は、上端に位置し、洗浄水を箱体２０１の通水孔２１０に導水するための傾斜面２２２と、両側端に位置し、小便器用放尿目標体２００の基板２０３の両端部を挿入する挿入部２２１とを有する。取付けプレート２２０は、接着剤等により小便器本体１０の鉢面１１に帖着固定される。
【００５３】
このような構成である実施例２の小便器用放尿目標体２００において、用便者１から放出される尿は、箱体２０１の先端部２０２で受けられて分割される。分割された尿の殆どは、先端部２０２で跳ね返されることなく、箱体２０１の内部方向に飛散する。飛散した尿は、開口２０４の内部の傾斜面２１３に沿って奥側上方に向かうに従い内面と衝突して勢いが減衰する。また、開口２０４内部に直接当たり飛散する尿も、他の内面と衝突して勢いが減衰する。このため、尿の跳ね返りをなくすことができ、跳ね返った尿により小便器本体１０の周りの床が汚れることを防止することができる。
【００５４】
また、傾斜面２１３には１〜９の数字が付されているため、用便者１の興味を引き、用便者１は積極的に開口２０４に向けて放尿する。このため、用便者１は、小便器用放尿目標体２００が取り付けられていない部分に放尿することがなくなり、直接、尿が鉢面に衝突して跳ね返ることがなくなる。さらに、用便者１は、尿を小便器用放尿目標体２００に当てようとして小便器本体１０に近づいて放尿するため、小便器本体１０の周りの床に直接尿が垂れることもなくなる。
【００５５】
また、洗浄水供給装置１２から小便器本体１０の鉢面１１に洗浄水が供給されると、取付けプレート２２０の上方から鉢面１１に沿って流下する洗浄水は、傾斜面２２２で手前方向に向けて流下する。箱体２０１の通水孔２１０等を通じて傾斜面２１３の開口２０４側及び裏側の空間にも洗浄水が通水される。このため、鉢面１１の洗浄と同時に箱体２０１全体も洗浄され、尿が乾燥して付着することによる汚れや臭いの発生を防止することができる。
【００５６】
また、開口２０４内の底面は傾斜面２１３であるため、尿や洗浄水が箱体２０１の内部に滞留することがない。このため、尿や洗浄水が滞留することにより生じる汚れや臭いの発生を防止することができる。
【００５７】
また、図示はしないが、各開口２０４を形成する内部上面２１４を、前方上向きの傾斜面とすることができる。このようにすれば、傾斜面２１３に付された１〜９までの数字が用便者１から見えやすくなるため、用便者は開口２０４に向けて放尿する。さらに、箱体２０１の上面も前方上向きの傾斜面とすることにより、箱体２０１の上面に尿や洗浄水が滞留することがなくなる。また、開口２０４の内面に凹凸をつけることができる。このようにすれば、尿の跳ね返りをさらに少なくすることができる。
【００５８】
また、小便器用放尿目標体２００が小便器本体１０の鉢面１１に着脱自在に取り付けられる点は、実施例１と同様である。このため、詳細な説明は省略する。
【実施例３】
【００５９】
図８に示すように、実施例３の小便器用放尿目標体３００は、基板３０３と、基板３０３の前面に設けられ、複数の六角形状の開口３０４をもつ箱体３０１とからなる。夫々の開口３０４の内部は、開口３０４と同じ六角形状の空間が形成されている。箱体３００の上壁及び側壁は、内部に洗浄水が通水されるように通水孔３１０を有している。
【００６０】
小便器用放尿目標体３００は、実施例２で説明した取付けプレート２２０を介して小便器本体１０の鉢面１１に着脱自在に取り付けられる。
【００６１】
このような構成である実施例３の小便器用放尿目標体３００は、用便者１から放出される尿は、実施例２と同様に、箱体３００の先端部３０２で受けられて分割され、箱体３０１の内部方向に飛散し、開口３０４の内面と衝突して勢いが減衰する。また、開口３０４の内面に直接当たり飛散する尿も、他の内面と衝突して勢いが減衰する。このため、尿の跳ね返りをなくすことができ、跳ね返った尿により小便器本体１０の周りの床が汚れることを防止することができる。また、鉢面１１の洗浄と同時に箱体３０１の内部も洗浄され、尿が乾燥し付着することによる汚れや臭いの発生を防止することができる。
【００６２】
また、図示はしないが、用便者１から放出される尿の方向に沿って開口３０４が上向きとすることができる。また、一部の開口３０４の内部に目標となる目印を設けることができる。このようにすれば、用便者１が目印に興味を引き、用便者１は積極的に開口３０４に向けて放尿する。このため、用便者１は、小便器用放尿目標体３００が取り付けられていない部分に放尿することがなくなり、直接、尿が鉢面に衝突して跳ね返ることがなくなる。さらに、用便者１は、尿を小便器用放尿目標体３００に当てようとして小便器本体１０に近づいて放尿するため、小便器本体１０の周りの床に直接尿が垂れることもなくなる。また、開口３０４の内面に凹凸をつけることができる。このようにすれば、尿の跳ね返りをさらに少なくすることができる。
【００６３】
また、小便器用放尿目標体３００が小便器本体１０の鉢面１１に着脱自在に取り付けられる点は、実施例１等と同様である。このため、詳細な説明は省略する。
【実施例４】
【００６４】
図９に示すように、実施例４の小便器用放尿目標体４００は、基板４０３と、基板４０３の前面に平行に設けられた複数の板体４０１とからなる。各板体４０１は、上辺部４０４が前方に向けた下り勾配になっている。また、各板体４０１の周辺部には、板体４０１の厚さ方向の中央部を尖らせて、先端部４０２が形成されている。
【００６５】
小便器用放尿目標体４００は、実施例１又は２で説明した取付けプレート１２０、２２０を介して小便器本体１００の鉢面１１に着脱自在に取り付けられる。
【００６６】
このような構成である実施例４の小便器用放尿目標体４００において、用便者１から放出される尿は、各板体４０１の先端部４０２で受けられて分割され、板体４０１同士の隙間に入り込み、他の板体４０１と衝突して勢いが減衰する。また、各板体４０１の隙間を通り鉢面１１や板体４０１の平面部に直接当たり飛散する尿も、各板体４０１の隙間に飛散し、他の板体４０１に衝突して勢いが減衰する。このため、尿の跳ね返りをなくすことができ、跳ね返った尿により小便器本体１０の周りの床が汚れることを防止することができる。また、鉢面１１の洗浄と同時に板体４０１も洗浄され、尿が乾燥し付着する事による汚れや臭いの発生を防止することができる。
【００６７】
また、上辺部４０４が前方に向けた下り勾配であり尖っているため、用便者１から放出される尿は、分割され、板体４０１の隙間に飛散する。また、尿が各板体４０１の上辺部４０４に滞留することなく、前方側及び側方側に流下する。このため、尿の跳ね返りを少なくすることができるとともに、尿の滞留による汚れや臭いの発生を防止することができる。
【００６８】
また、小便器用放尿目標体４００が小便器本体１０の鉢面１１に着脱自在に取り付けられる点は、実施例１等と同様である。このため、詳細な説明は省略する。
【００６９】
また、図示はしないが、各板体４０１の間に芳香剤や尿石除去剤等の薬剤を取り付けることができる。このようにすれば、さわやかな香りを漂わせることができ、尿石発生を防ぐこともできる。また、各板体４０１の間に目標となる目印を設けることができる。このようにすれば、用便者１が目印に興味を引き、用便者１は積極的に目印に向けて放尿する。このため、用便者１は、小便器用放尿目標体４００が取り付けられていない部分に放尿することがなくなり、直接、尿が鉢面に衝突して跳ね返ることがなくなる。さらに、用便者１は、尿を小便器用放尿目標体４００に当てようとして小便器本体１０に近づいて放尿するため、小便器本体１０の周りの床に直接尿が垂れることもなくなる。また、各板体４０１の形状を上面視Ｓ字形若しくは波形にしたり、各板体４０１に開孔を多数設けたりすることができる。このようにすれば、尿の跳ね返りをさらに少なくすることができる。
【実施例５】
【００７０】
図１０、１１に示すように、実施例５の小便器用放尿目標体５００は、基板５０３と、基板５０３の前面と直交する方向に突出した回転軸５０５と、回転軸５０５を軸として回転可能な回転体５０１とからなる。基板５０３は、断面が三角形状で横方向に延びる突条５０４を前面に有する。回転体５０１は、回転軸５０５を中心とし同一円周上に配置された複数の三角形状の羽根５０６を有する。
【００７１】
小便器用放尿目標体５００は、取付けプレート５２０を介して小便器本体１０の鉢面１１に着脱自在に取り付けられる。取付けプレート５２０は、上端の一側方に洗浄水を回転体５０１の羽根５０６に導水するため庇部５２２ａを有し、庇部５２２ａを除く上端には、洗浄水を基板５０３に導水するための傾斜面５２２ｂを有する。また、取付けプレート５２０は、小便器用放尿目標体５００の基板５０３の両端部を挿入する挿入部５２１を両側端に有する。取付けプレート５２０は、接着剤等により小便器本体１０の鉢面１１に帖着固定される。
【００７２】
このような構成である実施例５の小便器用放尿目標体５００において、用便者１から放出される尿は、回転体５０１の先端部５０２で受けられて分割される。分割された尿は、先端部５０２で跳ね返されることなく、羽根５０６同士の隙間に入り込み、羽根５０６等と衝突して勢いが減衰する。また、用便者１から放出される尿は、羽根５０６に直接当たると、回転体５０１の回転駆動力を生じ、回転体５０１を回転させるため、尿の跳ね返りが少なくなる。また、回転体５０１は、小便器本体１０の鉢面１１と平行に回転するため、回転体５０１の回転により小便器本体１０の外部に尿が飛散することはない。このため、跳ね返った尿により小便器本体１０の周りの床が汚れることを防止することができる。
【００７３】
また、回転体５０１が尿を受けて回転するため、用便者１の興味を引き、用便者１は積極的の回転体５０１の羽根５０６に向けて放尿する。このため、用便者１が小便器用放尿体５００が取り付けられていない部分に放尿することがなくなり、直接、尿が鉢面１１に衝突して跳ね返ることがなくなる。さらに、用便者１は、尿を小便器用放尿目標体５００に当てようとして小便器本体１０に近づいて放尿するため、小便器本体１０の周りの床に直接尿が垂れることもなくなる。
【００７４】
また、洗浄水供給装置１２から小便器本体１０の鉢面１１に洗浄水が供給されると、取付けプレート５２０の上方から鉢面１１に沿って流下する洗浄水は、回転体５０１と基板５０３とが洗浄されるように庇部５２２ａ及び傾斜面５２２ｂで手前方向に向けて流下する。また、基板５０３の前面に設けられた突条５０４により、洗浄水は回転体５０１の裏側空間５０７に向けて飛散する。このため、鉢面１１の洗浄と同時に回転体５０１も洗浄され、尿が乾燥して付着することによる汚れや臭いの発生を防止することができる。
【００７５】
また、図示はしないが、回転体５０１の裏側空間５０６に脱臭カートリッジを嵌め込むことができる。このようにすれば、臭いの発生を防止することができる。また、裏側空間５０６に網部材を嵌め込むこともできる。このようにすれば、尿の飛散を網部材で少なくすることができる。
【００７６】
また、小便器用放尿目標体５００が小便器本体１０の鉢面１１に着脱自在に取り付けられる点は、実施例１等と同様である。このため、詳細な説明は省略する。
【実施例６】
【００７７】
図１２に示すように、実施例６の小便器用放尿目標体６００は、基板６０３の前面に直交する回転軸６０５を軸として回転可能な回転体６０１を有する。羽根６０６の形態が相違する点以外は実施例５と同様である。このため、詳細な説明は省略する。
【００７８】
また、図示はしないが、羽根６０６に開孔を多数設けたり、羽根６０６を網状の部材で形成したりすることができる。このようにすれば、尿の跳ね返りをさらに少なくすることができる。また、回転体６０１の形状は図１２に示すものに限らず、ターボファン、シロッコファン等で用いられる各種形状の回転体を採用することができる。
【実施例７】
【００７９】
図１３に示すように、実施例７の小便器用放尿目標体７００は、基板７０３と、基板７０３の前面に直交して突出する揺動軸７０５と、揺動軸７０５を軸として揺動可能は揺動体７０１とからなる。揺動体７０１は、左右方向の中心が揺動軸７０５で軸支された半円筒体と、半円筒体の左右端部を閉じ、通水孔７１０を有する半円板とを有する。
【００８０】
小便器用放尿目標体７００は、取付けプレート２２０を介して小便器本体１０の鉢面１１に取り付けられる。取付けプレート２２０は、実施例２と同様である。このため、詳細な説明は省略する。
【００８１】
このような構成である実施例７の小便器用放尿目標体７００において、用便者１から放出される尿は、揺動体７０１の先端部７０２で受けられて分割される。分割された尿は、先端部で跳ね返されることなく、揺動体７０１の半円筒体の内部に飛散する。また、用便者１から放出される尿は、半円筒体の内部に直接当たると、揺動体７０１の揺動駆動力を生じ、揺動体７０１を揺動させるため、尿の跳ね返りが少なくなる。このため、跳ね返った尿により小便器本体１０の周りの床が汚れることを防止することができる。
【００８２】
また、揺動体７０１が尿を受けて揺動するため、用便者１の興味を引き、用便者１は積極的に揺動体７０１に向けて放尿する。このため、用便者１は、小便器用放尿目標体７００が取り付けられていない部分に放尿することがなくなり、尿が鉢面１１に直接衝突して跳ね返ることがなくなる。さらに、用便者１は、尿を小便器用放尿目標体７００に当てようとして小便器本体１０に近づいて放尿するため、小便器本体１０の周りの床に直接尿が垂れることもなくなる。
【００８３】
また、小便器用放尿目標体７００が鉢面１１の洗浄と同時に洗浄される点、及び小便器用放尿目標体７００が小便器本体１０の鉢面１１に着脱自在に取り付けられる点は、実施例１等と同様である。このため、詳細な説明は省略する。
【００８４】
また、図示はしないが、揺動体７０１の開口部７０４を分割するように格子部材を取り付けることができる。このようにすれば、用便者１から揺動体７０１に向けて放尿された尿を格子部材で受けて分割し、拡散するため、尿の跳ねが少なくなる。このため、跳ね返った尿により小便器本体１０の周りの床が汚れることを防止することができる。
【実施例８】
【００８５】
図１４に示すように、実施例８の小便器用放尿目標体８００は、基板８０３と、基板８０３の前面から突出し、前方で下方に屈曲した回転軸８０５と、回転軸８０５を軸として水平回転可能な回転体８０１とからなる。回転体８０１は、回転軸８０５を中心にした円盤形状である。回転体８０１の上面には、断面三角形状の凸条を複数本ずつ並列配置した凸部８０４が間隔を空けて放射状に形成されている。
【００８６】
小便器用放尿目標体８００は、実施例２で説明した取付けプレート２０２を介して小便器本体１０の鉢面１１に着脱自在に取り付けられる。
【００８７】
このような構成である実施例８の小便器用放尿目標体８００において、用便者１から放出される尿は、斜め上方から凸部８０４の先端部８０２で受けられて分割される。また、尿は、斜め上方から凸部８０４の凸条に当たると、回転体８０１の回転駆動力を生じ、回転体８０１を回転させるため、尿の跳ね返りが少なくなる。このため、跳ね返った尿により小便器本体１０の周りの床が汚れることを防止することができる。
【００８８】
また、回転体８０１が回転するため、用便者１の興味を引き、小便器本体１０の周りの床が汚れることを防止する点、小便器用放尿目標体８００が鉢面１１の洗浄と同時に洗浄される点、及び小便器用放尿目標体８００が小便器本体１０の鉢面１１に着脱自在に取り付けられる点は、実施例１等と同様である。このため、詳細な説明は省略する。
【実施例９】
【００８９】
図１５〜１７に示すように、実施例９の小便器用放尿目標体９００は、回転軸９０５と、回転軸９０５を軸として回転可能な３個の回転体９０１と、回転体９０１の前方に配置され、３個の開口９１１を有する窓部９１０とからなる。回転体９０１は回転軸９０５から放射状に複数の羽根９０６を有し、羽根９０６の外周部には１〜７の数字が付され羽根９０６より幅の狭い帯状体９０７が固定されている。
【００９０】
小便器用放尿目標体９００は、取付け枠９２０を介して小便器本体１０の鉢面１１に着脱自在に配置される。取付け枠９２０は、両端に折り返し部９２１を有し、中間に回転軸９０５が鉢面１１と平行かつ水平に配置されるように接続されている。また、回転軸９０５より上部に洗浄水を回転体９０１に導水するための庇部９２２が設けられている。折り返し部９２１は小便器本体１０の目皿１４の下端部１５に係止され、庇部９２２は鉢面１１に接して配置される。
【００９１】
このような構成である実施例９の小便器用放尿目標体９００において、用便者１から放出される尿は、窓部９１０の後方で露出した回転体９０１の羽根９０６の先端部９０２で受けられて分割される。また、放出される尿は、羽根９０６に直接当たると、回転体９０１の回転駆動力を生じ、回転体９０１を回転させるため、尿の跳ね返りが少なくなる。また、回転体９０１の前方に配置された窓部９１０が回転により回転体９０１から尿が前方に飛散することを防止している。このため、尿により小便器本体１０の周りの床が汚れることを防止することができる。
【００９２】
また、窓部９１０の開口９１１には、回転体９０１の回転に従って任意の数字が示されるため、用便者１の興味を引く。つまり、３個の回転体９０１の回転が別個独立して回転するため、用便者１は、例えば、窓部９１０の開口９１１に示される数字を揃えるように夫々の回転体９０１の羽根９０６に向けて放尿する。このため、用便者１は、鉢面１１に直接、放尿することがなくなり、尿が鉢面１１に衝突して跳ね返ることがなくなる。さらに、用便者１は、尿を小便器用放尿目標体９００に当てようとして小便器本体１０に近づいて放尿するため、小便器本体１０の周りの床に直接尿が垂れることもなくなる。
【００９３】
また、洗浄水供給装置１２から小便器本体１０の鉢面１１に洗浄水が供給されると、鉢面１１に沿って上方から流下する洗浄水は、回転体９０１が洗浄されるように庇部９２２で手前方向に向けて流下する。このため、鉢面１１の洗浄と同時に回転体９０１も洗浄され、尿が乾燥して付着することによる汚れや臭いの発生を防止することができる。
【００９４】
また、取付け枠９２０は、折り返し部９２１を目皿１４の下端部１５に係止し、庇部９２２を鉢面１１に接して取り付けられているため、小便器本体１０から目皿１４を取り外し、折り返し部９２１を目皿１４の下端部１５から外せば、取付け枠９２０と共に小便器用放尿目標体９００を小便器本体１０から取り外すことができる。このため、小便器用放尿目標体９００と取付け枠９２０とを取り外して洗浄したり、新しいものに交換したりすることが容易になる。
【００９５】
また、図示はしないが、回転体９０１を円柱形状の部材の表面に凹凸を設けて回転可能にしたものにすることができる。このようにすれば、回転体９０１の部品数を減らせて容易に製造することができる。
【００９６】
また、小便器用放尿目標体９００が用便者１から放出される尿によって取付け位置が変動したり、振動したりすることがないように、取付け枠９２０を板状にして強度を高めることができる。このようにすれば、適切な位置に小便器用放尿目標体が配置されるので、尿の飛散を少なくすることができる。
【実施例１０】
【００９７】
図１８〜２５に示すように、実施例１０の小便器用放尿目標体９５０は、網製の容器９５１〜９５７を有する。網製の容器９５１〜９５７の形状は、星形状、花形状、動物形状、植物形状、マイク形状、ラケット形状等が考えられる。容器９５１〜９５７の内部には、芳香剤や尿石除去剤等の薬剤９７０を収納することができる。また、容器９５２は、無数の孔が設けられた金属製の板材により容器を形成したものである。
【００９８】
小便器用放尿目標体９５０は、目皿１４に針金９６０を介して取り付けられる。針金９６０は目皿１４に埋め込まれて固定されるか、接着固定される。小便器用放尿目標体９５０に対する針金９６０の差込み深さを調整することにより、小便器用放尿目標体９５０の取付け高さを調整することができる。また、図２２に示すように、目皿１４の上部開口１６に差込み固定される。この場合、小便器用放尿目標体９５０が安定するように、下部に錘９６１を設けると良い。さらに、図２４に示すように、開口１６から臭気が漏れ出さないように、ゴム製等の取付け部材９６２で取り付けても良い。図示はしないが、小便器用放尿目標体９５０は、目皿１４に接着固定されて目皿１４と一体化されても良い。
【００９９】
このような構成である実施例１０の小便器用放尿目標体９５０において、用便者１から放出される尿は、容器９５１〜９５７で受けられて分割される。分割された尿は跳ね返されることなく、容器９５１〜９５７の内部に飛散し、勢いが減速する。このため、尿の跳ね返りを少なくすることができ、跳ね返った尿により小便器本体１０の周りの床が汚れることを防止することができる。
【０１００】
また、容器９５１〜９５７の内部に芳香剤や尿石除去剤等の薬剤９７０が収納されている場合には、さわやかな香り漂わせることができ、尿石発生を防ぐこともできる。
【０１０１】
また、目皿１４と共に容易に小便器用放尿目標体９５０を取り外すことができるので、取り外して洗浄したり、新しいものに容易に交換したりすることができ、汚れや臭いの発生を防止することができる。さらに、既存の小便器本体１０の目皿１４にも容易に取り付けることができる。
【０１０２】
さらに、容器の形状が違うものを複数用意しておけば、目皿１４の交換とともに容易に他の容器に交換できる。これにより、用便者１は飽きることなく小便器用放尿目標体９５０に向けて放尿することができ、継続的に尿の跳ね返りを少なくし、跳ね返った尿により小便器本体１０の周りの床が汚れることを防止できる。さらに、用便者１は小便器用放尿目標体９５０に尿が届くように小便器本体１０に近づいて放尿するため、小便器本体１０の周りの床に直接、尿が垂れることも防止することができる。
【実施例１１】
【０１０３】
図２６〜２８に示すように、実施例１１の小便器用放尿目標体９８０は、容器９８２の開口上面を網体９８１で覆い、容器９８２内部に球体９９０を有するものである。容器９８２の下端には開口９８３を有する。また、容器９８２は、取付けプレート２２０の挿入部２２１に挿入可能な係止部９９５、９９６を後部に有する。
【０１０４】
小便器用放尿目標体９８０は、実施例２で説明した取付けプレート２２０を介して小便器本体１０の鉢面１１に着脱自在に取り付けられる。
【０１０５】
このような構成である実施例１１の小便器用放尿目標体９８０において、用便者１から放出される尿は、容器９８２の開口上面の網体９８１で受けられて分割される。分割された尿は、網体９８１で跳ね返されることなく、容器９８２内に飛散する。このため、尿の跳ね返りをなくすことができ、跳ね返った尿により小便器本体１０の周りの床が汚れることを防止することができる。
【０１０６】
また、図２６、２７に示すように、容器９８２の下端の開口９８３を絞り、尿が排水される量を少なくすれば、用便者１が放尿している間、容器９８２内に尿が徐々に溜まり、内部の球体９９０が徐々に浮上していくため、用便者１の興味を引き、用便者１は積極的に容器９８２の開口上面に向けて放尿する。このため、用便者１は、鉢面１１に直接放尿することがなくなり、尿が鉢面１１に衝突して跳ね返ることがなくなる。さらに、用便者１は、容器９８２の開口上面に向けて放尿しようとして小便器本体１０に近づくため、小便器本体１０の周りの床に直接尿が垂れることもなくなる。開口９８３は小便器本体１０の鉢面１１に向けて開口しているので、容器９８２に溜まった尿は鉢面１１に向かって排出される。
【０１０７】
さらに、図２８に示すように、容器９８２内をピンボールを模した形状にすれば、用便者１は球体９９０をピンボールのボールに見立てて尿を当て、球体９９０は容器内を移動する。このため、用便者１は、鉢面１１に直接放尿することがなくなり、尿が鉢面１１に衝突して跳ね返ることがなくなる。さらに、用便者１は、容器９８２内の球体９９０に向けて放尿しようとして小便器本体１０に近づくため、小便器本体１０の周りの床に直接尿が垂れることもなくなる。
【０１０８】
また、小便器用放尿目標体９８０は、取付けプレート２０２を介して小便器本体１０の鉢面１１に着脱自在に取り付けられているため、小便器用放尿目標体９８０を取り外して洗浄したり、新しいものに容易に交換したりすることができる。このため、汚れや臭いの発生を防止することができる。
【０１０９】
また、図示はしないが、容器９８２内に洗浄水を導水する洗浄水導水部を容器９８２の開口上面より上部に有する取付けプレート２０２を採用して容器９８２を小便器本体１０の鉢面１１に取り付けることができる。このようにすれば、鉢面１１の洗浄と同時に容器９８２の内外部も洗浄され、尿が乾燥して付着することによる汚れや臭いの発生を防止することができる。また、容器９８２の下端部を針金等を介して目皿に取り付けることもできる。このようにすれば、容器９８２からの尿や洗浄水は針金を伝って落ちるようになるため、尿や洗浄水の雫が容器９８２から直接鉢面１１下部へ落下することがなくなる。
【産業上の利用可能性】
【０１１０】
本発明は小便器用放尿目標体及び小便器に利用可能である。
【図面の簡単な説明】
【０１１１】
【図１】実施例１の小便器用放尿目標体が取り付けられた小便器の一部切り欠き断面図である。
【図２】実施例１の小便器用放尿目標体が取り付けられた小便器の正面図である。
【図３】実施例１の小便器用放尿目標体が取り付けられた状態を示す拡大正面図である。
【図４】実施例１の小便器用放尿目標体が取り付けられた状態を示す拡大側面断面図である。
【図５】実施例２の小便器用放尿目標体が取り付けられた状態を示す拡大正面図である。
【図６】実施例２の小便器用放尿目標体が取り付けられた状態を示す拡大側面断面図である。
【図７】実施例２の小便器用放尿目標体が取り付けられた状態を示す拡大斜視図である。
【図８】実施例３の小便器用放尿目標体を示す拡大斜視図である。
【図９】実施例４の小便器用放尿目標体を示す拡大斜視図である。
【図１０】実施例５の小便器用放尿目標体が取り付けられた状態を示す拡大正面図である。
【図１１】実施例５の小便器用放尿目標体が取り付けられた状態を示す拡大側面断面図である。
【図１２】実施例６の小便器用放尿目標体を示す拡大斜視図である。
【図１３】実施例７の小便器用放尿目標体を示す拡大斜視図である。
【図１４】実施例８の小便器用放尿目標体を示す拡大斜視図である。
【図１５】実施例９の小便器用放尿目標体が取り付けられた小便器の一部側面断面図である。
【図１６】実施例９の小便器用放尿目標体と取付け枠を示す拡大斜視図である。
【図１７】実施例９の小便器用放尿目標体が取り付けられた小便器の平面端面図である。
【図１８】実施例１０の小便器用放尿目標体を示す拡大斜視図である。
【図１９】実施例１０の他の形態の小便器用放尿目標体を示す拡大斜視図である。
【図２０】実施例１０の他の形態の小便器用放尿目標体を示す拡大斜視図である。
【図２１】実施例１０の他の形態の小便器用放尿目標体を示す拡大斜視図である。
【図２２】実施例１０の他の形態の小便器用放尿目標体を示す拡大斜視図である。
【図２３】実施例１０の小便器用放尿目標体が取り付けられた小便器の一部側面断面図である。
【図２４】実施例１０の他の形態の小便器用放尿目標体を示す拡大斜視図である。
【図２５】実施例１０の他の形態の小便器用放尿目標体を示す拡大斜視図である。
【図２６】実施例１１の小便器用放尿目標体と取付けプレートを示す拡大斜視図である。
【図２７】実施例１１の小便器用放尿目標体が取り付けられた小便器の一部側面断面図である。
【図２８】実施例１１の他の形態の小便器用放尿目標体を示す拡大斜視図である。
【符号の説明】
【０１１２】
１…用便者
１０…小便器本体
１１…鉢面
１２…洗浄水供給装置
１４…目皿
１００、２００、３００、４００、５００、６００、７００、８００、９００、９５０、９８０…小便器用放尿目標体
１０１…棒状体
２０１、３０１…箱体
２１０、２１１、２１２、３１０…通水孔
４０１…板体
５０１、６０１、８０１、９０１…回転体
５０５、６０５、８０５、９０５…回転軸
７０１…揺動体
７０５…揺動軸
９５１、９５２、９５３、９５４、９５５、９５６、９５７…網製の容器
【図１】
2008057195.tif 000003
【図２】
2008057195.tif 000004
【図３】
2008057195.tif 000005
【図４】
2008057195.tif 000006
【図５】
2008057195.tif 000007
【図６】
2008057195.tif 000008
【図７】
2008057195.tif 000009
【図８】
2008057195.tif 000010
【図９】
2008057195.tif 000011
【図１０】
2008057195.tif 000012
【図１１】
2008057195.tif 000013
【図１２】
2008057195.tif 000014
【図１３】
2008057195.tif 000015
【図１４】
2008057195.tif 000016
【図１５】
2008057195.tif 000017
【図１６】
2008057195.tif 000018
【図１７】
2008057195.tif 000019
【図１８】
2008057195.tif 000020
【図１９】
2008057195.tif 000021
【図２０】
2008057195.tif 000022
【図２１】
2008057195.tif 000023
【図２２】
2008057195.tif 000024
【図２３】
2008057195.tif 000025
【図２４】
2008057195.tif 000026
【図２５】
2008057195.tif 000027
【図２６】
2008057195.tif 000028
【図２７】
2008057195.tif 000029
【図２８】
2008057195.tif 000030